(57)【要約】【課題】不正開封防止の目的が十分達成できると共にバージン部が瓶口部に残らないようにして、支障無くリサイクルし得るようにしたバージンキャップを提供する。【解決手段】キャップ本体開口部に易破断部を有する筒状リングを破断し得るように連設し、該キャップ本体を瓶口に螺合させ、前記筒状リングを瓶のビードに係止させ、前記キャップ本体を開栓方向に回転させると、前記筒状リングが易破断部から破断され、該破断部から前記キャップ本体と前記筒状リングとが順次破断されるが一部は破断されないようにして、前記キャップ本体と前記筒状リングとが一緒に瓶口から外れるように形成した。【選択図】　　　　図１
2004051169.tif 000002
【特許請求の範囲】
【請求項１】
キャップ本体開口部に、弾力性を有する易破断部を有する筒状リングを破断し得るように連設し、該キャップ本体を瓶口に螺合させ、前記筒状リングを瓶のビードに係止させ、前記キャップ本体を開栓方向に回転させると、前記筒状リングが易破断部から破断され、該破断部から前記キャップ本体と前記筒状リングとが順次破断されるが一部は破断されないようにして、前記キャップ本体と前記筒状リングとが一緒に瓶口から外れるように形成したことを特徴とする合成樹脂製バージンキャップ。
【請求項２】
前記易破断部は、前記筒状リングに切断部を形成し、該切断部を弾力性を有する横方向ブリッジで連結することにより形成される請求項１記載のバージンキャップ。
【請求項３】
前記切断部を、複数本の横方向ブリッジで間隔付けて連結する請求項２記載のバージンキャップ。
【請求項４】
前記筒状リングは、内面にリング状の係合突起を有し、該係合突起を前記ビードに係止させる請求項１〜３のいずれかに記載のバージンキャップ。
【請求項５】
前記キャップ本体と前記筒状リングとを、間隔付けて設けた多数の弾力性を有する縦方向ブリッジで連結し、該縦方向ブリッジの最後若しくは最後の方に切断されるブリッジを太く形成する請求項１〜４のいずれかに記載のバージンキャップ。
【請求項６】
前記筒状リングの内面に多数の係合片を間隔付けて設けて前記リング状の係合突起を構成し、該係合片は上昇傾斜し得るように形成されている請求項１〜５のいずれかに記載のバージンキャップ。
【請求項７】
前記キャップ本体に前記筒状リングを連設したバージンキャップを、熱可塑性樹脂による一体成形によって形成する請求項１〜６のいずれかに記載のバージンキャップ。
【発明の詳細な説明】
【０００１】
【発明が属する技術分野】
この発明は、開封したら直ぐにわかるようにして不正開封の防止を図るバージンキャップに係り、詳記すればキャップ本体から破断した筒状リングを瓶に残さないようにした合成樹脂製バージンキャップに関する。
【０００２】
【従来の技術】
各種飲料や食品等を入れた瓶類が店頭に陳列されている間に、不正な開封を検知し、その防止を図ることにより中身を保護し、安心して売ることができ、かつ安心して買うことができるように、いわゆるバージンキャップが従来より使用されている。
【０００３】
従来のバージンキャップは、キャップ本体と筒状体（バージン部）とを縦方向ブリッジを介して連設し、バージン部を瓶のビード（ネジ部下方のリング状凸条）に係合させてキャップを開栓すると、ブリッジが破断して、バージン部をビードに係合させたまま、キャップ本体を瓶口部から外すように構成されている。
【０００４】
従ってバージン部は、瓶口部に残るが、通常は瓶とバージン部とが別材質となるので、リサイクルし難い問題があった。このような欠点を解消するため、本出願人は、開封時にバージン部とキャップ本体を繋ぐブリッジの大部分は破断するが、最後の太く形成したブリッジは破断しないようにして、一部のブリッジを繋がったままとすることによって、バージン部がキャップ本体と一緒に外れるようにしたバージンキャップを開発した。
【０００５】
しかしながら、上記バージンキャップは、締め栓時の縦ブリッジへの負荷を減らそうとして、バージン部の１ヶ所が予め切断されていたので、へら状の道具等でこの切断部を押し上げる等してこの切断部を拡げれば、ブリッジを破断させずに開封でき、このバージンキャップをまた冠着させれば不正開封を検知できない場合があり得る問題があった。
【０００６】
【発明が解決しようとする課題】
この発明は、このような問題点を解消しようとするものであり、不正開封防止の目的が十分達成できると共にバージン部が瓶口部に残らないようにして、支障無くリサイクルし得るようにしたバージンキャップを提供することを目的とする。
【０００７】
【課題を解決するための手段】
上記目的に沿う本発明うち請求項１に記載の発明は、キャップ本体開口部に弾力性を有する易破断部を有する筒状リングを破断し得るように連設し、該キャップ本体を瓶口に螺合させ、前記筒状リングを瓶のビードに係止させ、前記キャップ本体を開栓方向に回転させると、前記筒状リングが易破断部から破断され、該破断部から前記キャップ本体と前記筒状リングとが順次破断されるが一部は破断されないようにして、前記キャップ本体と前記筒状リングとが一緒に瓶口から外れるように形成したことを特徴とする。
【０００８】
易破断部は、前記筒状リングに切断部隙を形成し、該切断部を弾力性を有する横方向ブリッジで連結することにより形成すると良い（請求項２）。
【０００９】
切断部を、複数本、好ましくは２本の横方向ブリッジで間隔付けて連結するのが好ましい（請求項３）。尚、横方向ブリッジとは、横方向に連結するブリッジの意味である。
【００１０】
筒状リングは、内面にリング状の係合突起を有し、該係合突起をビードに係止させるのが好ましい（請求項４）。
【００１１】
キャップ本体と筒状リングとを、間隔付けて設けた多数の弾力性を有する縦方向ブリッジで連結し、縦方向ブリッジの最後若しくは最後の方に破断される位置のブリッジを太く（強く）形成して破断されないようにするのが良い（請求項５）。尚、縦方向ブリッジとは、縦方向に連結するブリッジの意味である。
【００１２】
筒状リングの内面に多数の係合片を間隔付けて設けてリング状の係合突起を構成し、該係合片は上昇傾斜し得るように形成して、係合片がビードを乗り越えて係合し易くするのが良い（請求項７）。
【００１３】
キャップ本体に筒状リングを連設したバージンキャップを、熱可塑性樹脂による一体成形によって形成するのがコスト的理由から好ましい（請求項７）。
【００１４】
【発明の実施の形態】
次に、本発明の実施の形態を図面に基づいて説明する。
【００１５】
図１及び図２は、本発明の一実施例を示すものであり、内周面にネジ部１を形成したキャップ本体２と、同キャップ本体２に弾力性を有する縦方向ブリッジ３を介して一部を残して破断し得るように連設した筒状体４と、同筒状体４の縦方向切断部５を連結する弾力性を有する横方向ブリッジ６，６と、同筒状体４の下端にリング状に間隔付けて連設した係合片（フラップ）７とから形成した例を示す。尚、切断部５は、リングの一部が除去され、若干の間隔で離間している。
【００１６】
筒状体４上端は、凹凸に形成され、同凹部に縦方向ブリッジ３が位置している。キャップ本体２下端には、凸起１１と凸起１１の対向位置の２箇所に凸起が形成され、同凸起１１は筒状体４上端の凹部に遊嵌している。
【００１７】
尚、筒状体４下端には、図２に示すように、多数の係合片７がリング状に内方に向けて連設されている。
【００１８】
図３に示すように、瓶８のネジ部９にキャップ本体２のネジ部１を螺合させると、筒状体４の係合片７がネジ部９より下方のビード１０に当接し、係合片７は上方に向けて傾斜して、瓶のビード１０を乗り越える。この時、横方向ブリッジ６は、弾力性を有するので、破断されないで若干伸びる。この状態では、上昇傾斜した係合片７は、若干下降するので、キャップ本体２を開栓方向に回転させても筒状体４は上昇しない。
瓶８の材質としては、ガラス、プラスチックの何れでもよいがガラスが望ましい。過去、ガラス瓶用のこのような形状のバージンキャップが開発された例はない。
また、瓶８のネジ部９のネジ山は一般のものよりも一巻き多めに形成されており、このようにすることにより本発明のバージンキャップをしっかりと螺合させることができるようになる。
【００１９】
それからキャップ本体２を開栓方向に回転させると、係合片７はビードに係合しているが、筒状体４に拡がろうとする力が作用するので、横方向ブリッジ６，６は破断する。この時、縦方向ブリッジ３が先に破断しないように、縦方向ブリッジ３と横方向ブリッジ６との本数及び太さを選択する。同じ太さで縦方向ブリッジ３の本数を多くするか、縦方向ブリッジ３の太さを太くすれば良い。上記実施例では、縦方向ブリッジ３は１０本設けられ、最後に破断される位置の縦方向ブリッジ３は、破断されないように太く形成されている。
【００２０】
上記実施例においては、易破断部として切断部５を横方向ブリッジ６で連結したが、締め栓時にビードを乗り越えるときは破断されない弾力性を有し、開栓時には破断されるものなら他の手段であっても良い。
【００２１】
横方向ブリッジ６は、複数本、好ましくは２本とするのが良い。複数本であれば、締め栓時に１本が破断しても残りのブリッジ６で不正開封の防止ができるからである。尚、ブリッジ６を３本以上とすると破断され難くなるという問題が生じ、この問題を解決するために、ブリッジ６を細くして破断し易くするとキャップ螺合時に当該ブリッジ６が切断される確率が高くなるという問題が生じる。そのためブリッジ６の数としては２本が好ましい。
【００２２】
本発明のバージンキャップは、合成樹脂で形成されるが、好ましくはポリプロピレン樹脂等の熱可塑性樹脂の射出成形による一体成形で形成させるのが良い。１種類の金型で一回で成形できるので、製造コストが低減できるからである。尚、一体成型ではなく２つ以上の金型を使用して作った２以上の部品を組み合わせて本願のバージンキャップを形成する場合、キャップ本体２は堅い材質の合成樹脂を用いて形成するのがよく、また、筒状体４は弾力性を有する材質の合成樹脂を用いて形成するのがよい。
【００２３】
本発明によれば、筒状体（バージン部）に弾力性易破断部を形成したので、易破断部を破断させなければ開封できないから不正開封防止の目的が十分達成できると共に、開封時は易破断部は破断し、その結果、キャップ本体とバージン部とを一緒に持ち上げることができるので、バージン部が瓶口部に残らないようにすることができる。
【００２４】
また、筒状体に設けた易破断部（横方向ブリッジ）は、締め栓時に縦方向ブリッジを破断させ難くする作用も奏する。
【００２５】
【発明の効果】
以上のべた如く、本発明によれば、バージン部が瓶口部に残らないので、使用後の瓶を支障無くリサイクルすることができると共に、締め栓時にバージン部は切断されていないので、破断部を拡げて開封することはできないから、不正開封防止の目的も十分達成できる。
【図面の簡単な説明】
【図１】本発明の一実施例を示す一部破断した正面図である。
【図２】図１の底面図である。
【図３】本発明に使用する瓶の正面図である。
【符号の説明】
２・………キャップ本体
３・………縦方向ブリッジ
４・………筒状体（バージン部）
５・………切断部
６・………横方向ブリッジ
７・………係合片（フラッグ）
１０・………ビード
【図１】
2004051169.tif 000003
【図２】
2004051169.tif 000004
【図３】
2004051169.tif 000005